(57)【要約】【課題】自動調理メニュー以外に使用者が頻繁に使用する加熱やタイマーなど全ての動作状態を音声により詳細に伝えること。【解決手段】複数のキーを有する操作部２と、操作部２からの信号により制御を行う制御部３と、音声データを出力する音声出力部５とを備え、操作部２は音声の音量を押す毎に切り替え可能な音量調節キー６を備え、音声出力部５は、操作部２の同一の制御命令の入力に対して、通常の報知を行う通常案内と、通常案内に比べてさらに詳しい説明を行う詳細案内を記憶し、音量調節キー６は通常案内と詳細案内とをトグル動作により切り替えて出力可能とすることで、詳細案内に設定した場合に、使用頻度が高い動作を表示部２からの視覚的情報だけでなく、音声出力部５からの聴覚的情報を取り入れることにより、使用効率を向上させることができる。【選択図】図１
2011202900.tif 000002
【特許請求の範囲】
【請求項１】
被加熱物を加熱する加熱部と、前記加熱部の動作を設定するための制御命令を入力する複数のキーを有する操作部と、前記操作部からの入力に基づいて前記加熱部の動作を制御する制御部と、前記操作部で設定された内容を視覚的に表示する表示部と、記憶された複数組の音声データを出力することができる音声出力部とを備え、前記操作部は前記音声出力部から発生する音声の音量を押す毎に複数段階に切り替えて調節するトグル動作が可能な音量調節キーを備え、前記音声出力部は、前記操作部の同一の前記制御命令の入力に対して、通常の報知を行う通常案内と、前記通常案内に比べてさらに詳しい説明を行う詳細案内を記憶し、前記音量調節キーは前記通常案内と前記詳細案内とを前記トグル動作により切り替えて出力可能とした加熱調理器。
【請求項２】
表示部は、音声出力部から発生する音声の音量及び詳細案内で出力される状態となっている場合に詳細案内が設定されていることを表示するとともに、前記音量の段階をすべて表示した後に、前記詳細案内の設定の有無を表示するトグル動作を行うようにした請求項１に記載の加熱調理器。
【請求項３】
表示部は、音量の段階を小さい段階から大きい段階の順に表示し、その後、詳細案内が設定された場合には音声の音量を最大の段階とするようにした請求項１または２に記載の加熱調理器。
【請求項４】
表示部は、音量の段階を小さい段階から大きい段階の順に表示し、その後、詳細案内が設定された場合には音声の音量を最大と最小を除いた設定とするようにした請求項１または２に記載の加熱調理器。
【請求項５】
詳細案内が設定されている時に、操作部において所定の複数キーを同時に押すことで、前記詳細案内の音声の音量を音量調節キーにより切り替え可能とした請求項１〜４のいずれか１項に記載の加熱調理器。
【請求項６】
操作部において所定の複数キーを同時に押すことで、詳細案内の音声の音量を音量調節キーにより切り替え可能な時に、音声調節キーにより音量の段階を小さい段階から大きい段階の順に行うトグル動作をするようにした請求項４に記載の加熱調理器。
【請求項７】
詳細案内が設定されている時に、音量調節キーを押すと詳細案内での音量を変え、その後さらに押すと、通常案内での音量調節動作を行うようにした請求項１〜４のいずれか１項に記載の加熱調理器。
【発明の詳細な説明】
【技術分野】
【０００１】
本発明は、一般家庭やレストラン及びオフィスなどで使用される加熱調理器に関するものである。
【背景技術】
【０００２】
従来、この種の加熱調理器は、調理メニューの各調理工程に関係する情報を表示手段や音声手段に供給する調理情報選択手段を制御可能な調理支援システムを有している（例えば、特許文献１参照）。
【先行技術文献】
【特許文献】
【０００３】
【特許文献１】特開２００３−１３０３６０号公報
【発明の概要】
【発明が解決しようとする課題】
【０００４】
しかしながら、前記従来の構成では、特定の自動調理メニューの各調理工程のみに関する情報を音声手段に供給する機能はあるが、使用者が頻繁に使用する加熱やタイマーなどにおける動作の説明を報知する機能を有しておらず、使用頻度が高い機能に関しての音声説明が不十分であるという課題を有していた。
【０００５】
本発明は、前記従来の課題を解決するもので、動作状態を音声やブザーで通常の報知を行う通常案内だけでなく、その動作状態の詳しい説明を行う詳細案内を操作部に記憶させることにより、自動調理メニュー以外に使用者が頻繁に使用する加熱やタイマーなど全ての動作状態を音声により詳細に伝えることを可能とした加熱調理器を提供することを目的とする。
【課題を解決するための手段】
【０００６】
前記従来の課題を解決するために、本発明の加熱調理器は、被加熱物を加熱する加熱部と、前記加熱部の動作を設定するための制御命令を入力する複数のキーを有する操作部と、前記操作部からの入力に基づいて前記加熱部の動作を制御する制御部と、前記操作部で設定された内容を視覚的に表示する表示部と、記憶された複数組の音声データを出力することができる音声出力部とを備え、前記操作部は前記音声出力部から発生する音声の音量を押す毎に複数段階に切り替えて調節するトグル動作が可能な音量調節キーを備え、前記音声出力部は、前記操作部の同一の前記制御命令の入力に対して、通常の報知を行う通常案内と、前記通常案内に比べてさらに詳しい説明を行う詳細案内を記憶し、前記音量調節キーは前記通常案内と前記詳細案内とを前記トグル動作により切り替えて出力可能としたものである。
【０００７】
これによって、加熱調理器に対して全ての動作状態において詳しい説明を音声で使用者に伝えることが可能となり、使用頻度が高い加熱やタイマーなどの動作を表示部からの視覚的情報だけでなく、音声出力部からの聴覚的情報を取り入れることで、使用効率を向上させることができる。
【発明の効果】
【０００８】
本発明の加熱調理器は、ある特定の機能に関してのブザーや音声報知だけでなく、全ての機能に対して詳しい説明を行う詳細案内を付与することで、使用頻度が高い動作状態に対して毎回音声報知を行うことで、聴覚的情報を使用者に提供することが可能となり、使
用効率の向上を図ることができる。
【図面の簡単な説明】
【０００９】
【図１】本発明の実施の形態１における加熱調理器のブロック図
【図２】（ａ）本発明の実施の形態２における加熱調理器の詳細案内の表示部を示した図（ｂ）本発明の実施の形態３における加熱調理器の通常案内の表示部を示した図
【図３】本発明の実施の形態３における加熱調理器の音量調節キーを押すことによるトグル動作図
【図４】本発明の実施の形態４における加熱調理器の音量調節キーを押すことによるトグル動作図
【図５】本発明の実施の形態５における加熱調理器の音量調節キーを押すことによるトグル動作図
【図６】本発明の実施の形態６における加熱調理器の音量調節キーを押すことによるトグル動作図
【発明を実施するための形態】
【００１０】
第１の発明は、被加熱物を加熱する加熱部と、前記加熱部の動作を設定するための制御命令を入力する複数のキーを有する操作部と、前記操作部からの入力に基づいて前記加熱部の動作を制御する制御部と、前記操作部で設定された内容を視覚的に表示する表示部と、記憶された複数組の音声データを出力することができる音声出力部とを備え、前記操作部は前記音声出力部から発生する音声の音量を押す毎に複数段階に切り替えて調節するトグル動作が可能な音量調節キーを備え、前記音声出力部は、前記操作部の同一の前記制御命令の入力に対して、通常の報知を行う通常案内と、前記通常案内に比べてさらに詳しい説明を行う詳細案内を記憶し、前記音量調節キーは前記通常案内と前記詳細案内とを前記トグル動作により切り替えて出力可能とすることにより、使用頻度が高い加熱やタイマーなどの動作を前記表示部からの視覚的情報だけでなく、前記音声出力部からの聴覚的情報を取り入れることで、使用効率を向上させることができる。
【００１１】
第２の発明は、特に、第１の発明において、表示部は、音声出力部から発生する音声の音量及び詳細案内で出力される状態となっている場合に詳細案内が設定されていることを表示するとともに、前記音量の段階をすべて表示した後に、前記詳細案内の設定の有無を表示するトグル動作を行うようにすることにより、使用者が設定した音声の音量の段階及び音声案内状態を視覚的に認識することができる。
【００１２】
第３の発明は、特に、第１または第２の発明において、表示部は、音量の段階を小さい段階から大きい段階の順に表示し、その後、詳細案内が設定された場合には音声の音量を最大の段階とすることにより、使用者に対して動作状態の詳しい説明を行う詳細案内の機能を受け入れやすくすることができる。
【００１３】
第４の発明は、特に、第１または第２の発明において、表示部は、音量の段階を小さい段階から大きい段階の順に表示し、その後、詳細案内が設定された場合には音声の音量を最大と最小を除いた設定とすることにより、一般的に使用者が聴き慣れている中音量域の音量となり聴覚的に受け入れやすくすることができ、音量を調節する手間を省くことができる。
【００１４】
第５の発明は、特に、第１〜４のいずれか１つの発明において、詳細案内が設定されている時に、操作部において所定の複数キーを同時に押すことで、前記詳細案内の音声の音量を前記音量調節キーにより切り替え可能とすることにより、詳細案内の音声の音量を使用者が小さい段階から大きい段階まで自分の好みの大きさに設定することができる。
【００１５】
第６の発明は、特に、第４の発明の加熱調理器において、操作部から所定の複数キーを同時に押すことで、詳細案内の音声の音量を音量調節キーにより切り替え可能な時に、音量の段階を小さい段階から大きい段階の順に行うトグル動作をすることにより、通常案内と詳細案内とでトグル動作に相関を持たせることで、使用者に対してトグル動作を受け入れやすくすることができる。
【００１６】
第７の発明は、特に、第１〜４のいずれか１つの発明において、詳細案内が設定されている時に、音量調節キーを押すと詳細案内での音量を変え、その後さらに押すと、通常案内での音量調節動作を行うようにすることで、音量調節キーを押すという単一操作で、通常案内と詳細案内の音量を調節できるのでキー操作の簡素化を図ることができる。
【００１７】
以下、本発明の実施の形態について、加熱調理器を例にして、図面を参照しながら説明する。なお、この実施の形態によって本発明が限定されるものではない。
【００１８】
（実施の形態１）
図１は、本発明の第１の実施の形態における加熱調理器のブロック図を示すものである。
【００１９】
図１において、使用者が操作部２により所定の操作を行うと、操作部２からの入力に基づいて制御部３が加熱部１と表示部４と音声出力部５に対してそれぞれ制御信号を送信し、操作部２により指定された加熱動作を加熱部１が行い、表示部４には動作状態の表示を行い、音声出力部５には音声を出力する。
【００２０】
操作部４は、音量調節キー６を備えている。
【００２１】
以上のように構成された加熱調理器について、以下その動作、作用を説明する。
【００２２】
本実施の形態においては、使用者が操作部４の音声出力部５から発生する音声の音量を押す毎に複数段階に切り替えて調節するトグル動作が可能な音量調節キー６を押すと、通常の報知を行う通常案内と通常案内に比べてさらに詳しい説明を行う詳細案内を選択することが可能となることにより、使用者が詳細案内を設定した時に、使用頻度が高い加熱やタイマーなどの動作を表示部からの視覚的情報だけでなく、音声報知からの聴覚的情報を取り入れることで、調理効率を向上させることができる。
【００２３】
また、本実施の形態の音量調節キー６を単独キーとして設けるのではなく、複数の音量調節キー６を設けて音量毎に選択可能とすることで、トグル動作の煩わしさを削除し、使用者が１回の操作で好みの音声案内及び音量で加熱調理器を使用することができる。
【００２４】
（実施の形態２）
図２（ａ）は、本発明の第２の実施の形態における加熱調理器の詳細案内の表示部を示した図を示すものである。
【００２５】
図２（ｂ）は、本発明の第２の実施の形態における加熱調理器の通常案内の表示部を示した図を示すものである。
【００２６】
図２（ａ）及び（ｂ）において、表示部４は、音声音量レベル７と詳細案内あるいは通常案内の設定状態を表示する案内設定表示８を備えている。
【００２７】
以上のように構成された加熱調理器について、以下その動作、作用を説明する。
【００２８】
本実施の形態においては、図１記載の音量調節キー６を使用者が押し、音声出力部５から発生する音声の音量及び詳細案内で出力される状態となっている場合に、案内設定表示８に詳細案内が設定されていることを表示し、かつ、音量の段階を音声音量レベル７に表示することで、使用者が設定した音声の音量の段階及び音声案内状態を視覚的に認識することができる。
【００２９】
（実施の形態３）
図３は、本発明の第３の実施の形態における加熱調理器の音量調節キーを押すことによるトグル動作図を示すものである。
【００３０】
表示部の表示状態は、図２と同様であるため説明は省略する。
【００３１】
以上のように構成された加熱調理器について、以下その動作、作用を説明する。
【００３２】
図１記載の音量調節キー６を使用者が押す毎に音量の段階を小さい段階から大きい段階の順に表示し、詳細案内が設定された場合には音声の音量を最大の段階に設定する。
【００３３】
初期設定を通常案内の音量なしとし、音量調節キー６を１回押すと通常案内の音量小、さらに１回押すと通常案内の音量中、さらに１回押すと通常案内の音量大、さらに１回押すと詳細案内の音量大、さらに１回押すと初期設定である通常案内の音量なしに戻るトグル動作を行い、詳細案内は通常案内の音量大の次に設定をすることで、使用者に対して動作状態の詳しい説明を行う詳細案内の機能を受け入れやすくすることができる。
【００３４】
また、本実施の形態では、初期設定を通常案内の音量なしとしたが、この実施の形態によって本発明が限定されるものではない。
【００３５】
（実施の形態４）
図４は、本発明の第４の実施の形態における加熱調理器の音量調節キーを押すことによるトグル動作図を示すものである。
【００３６】
表示部の表示状態は、図２と同様であるため説明は省略する。
【００３７】
以上のように構成された加熱調理器について、以下その動作、作用を説明する。
【００３８】
図１記載の音量調節キー６を使用者が押す毎に音量の段階を小さい段階から大きい段階の順に表示し、詳細案内が設定された場合には音声の音量を最大と最小を除いた段階に設定する。
【００３９】
初期設定を通常案内の音量なしとし、音量調節キー６を１回押すと通常案内の音量小、さらに１回押すと通常案内の音量中、さらに１回押すと通常案内の音量大、さらに１回押すと詳細案内の音量中、さらに１回押すと初期設定である通常案内の音量なしに戻るトグル動作を行い、詳細案内の音量を最大と最小を除いた段階とすることで、一般的に使用者が聴き慣れている中音量域の音量状態で聴覚的に受け入れやすくすることができ、音量を調節する手間を省くことができる。
【００４０】
また、本実施の形態では、初期設定を通常案内の音量なしとしたが、この実施の形態によって本発明が限定されるものではない。
【００４１】
（実施の形態５）
図５は、本発明の第５の実施の形態における加熱調理器の音量調節キーを押すことによ
るトグル動作図を示すものである。
【００４２】
表示部の表示状態は、図２と同様であるため説明は省略する。
【００４３】
詳細案内が設定されている時に、操作部において所定の複数キーを同時に押すことで、詳細案内での音声の音量を音量調節キー６により切り替え可能な構成としている。
【００４４】
以上のように構成された加熱調理器について、以下その動作、作用を説明する。
【００４５】
初期設定を詳細案内の音量大とし、音量調節キー６を１回押すと詳細案内の音量小、さらに１回押すと詳細案内の音量中、さらに１回押すと詳細案内の音量大に戻るトグル動作を行い、音量の段階を小さい段階から大きい段階の順に表示させることで、使用者が詳細案内設定時に自分の好みの音量で選択することができるとともに、通常案内と詳細案内とでトグル動作に相関を持たせることで、使用者に対して詳細案内でのトグル動作を受け入れやすくすることができる。
【００４６】
また、本実施の形態では、詳細案内の音量を大としたが、この実施の形態によって本発明が限定されるものではない。
【００４７】
（実施の形態６）
図６は、本発明の第６の実施の形態における加熱調理器の音量調節キーを押すことによるトグル動作図を示すものである。
【００４８】
表示部の表示状態及びトグル動作は図２と同様であるため説明は省略する。
【００４９】
以上のように構成された加熱調理器について、以下その動作、作用を説明する。
【００５０】
実施の形態３において、詳細案内の音量大に設定されている場合、音量調節キー６を１回押すと詳細案内の音量中、さらに１回押すと通常案内の音声なしに移行するトグル動作を行う。
【００５１】
通常案内と詳細案内の音量を音量調節キー６の単一操作で調節できるので、キー操作の簡素化を図ることができる。
【００５２】
また、本実施の形態では、詳細案内の音量大の次に詳細案内の音量中と設定したが、この実施の形態によって本発明が限定されるものではない。
【産業上の利用可能性】
【００５３】
以上のように、本発明にかかる加熱調理器は、音声出力部に動作状態の詳しい説明を行う詳細案内を付与することにより、使用者に表示部からの視覚的情報だけでなく、音声報知による聴覚的情報を取り入れることで、使用効率を向上させることができるので、加熱調理器だけでなくＡＶ機器などの生活家電の用途にも適用できる。
【符号の説明】
【００５４】
１  加熱部
２  操作部
３  制御部
４  表示部
５  音声出力部
６  音量調節キー
７  音声音量レベル
８  案内設定表示
【図１】
2011202900.tif 000003
【図２】
2011202900.tif 000004
【図３】
2011202900.tif 000005
【図４】
2011202900.tif 000006
【図５】
2011202900.tif 000007
【図６】
2011202900.tif 000008